(57)【特許請求の範囲】
【請求項１】
プロバイダにダイアルアップ接続し、所定のインターネットを介したファクシミリ通信が可能なファクシミリ装置であって、
インターネットを介して、セッションベース及びＥメールベースのファクシミリ通信が可能な通信手段と、
選択された送信モードに応じて前記セッションベースまたはＥメールベースの何れかのインターネットを選択し、その選択したインターネットを介したファクシミリ通信を、前記通信手段に実行させる制御手段と、を備え、
前記制御手段は、前記送信モードが自動選択のとき、原稿サイズがＡ４であればＥメールベースのインターネットを選択し、原稿サイズがＢ４或いはＡ３であればセッションベースのインターネットを選択することを特徴とするファクシミリ装置。
【請求項２】
プロバイダにダイアルアップ接続し、所定のインターネットを介したファクシミリ通信が可能なファクシミリ装置であって、
インターネットを介して、セッションベース及びＥメールベースのファクシミリ通信が可能な通信手段と、
選択された送信モードに応じて前記セッションベースまたはＥメールベースの何れかのインターネットを選択し、その選択したインターネットを介したファクシミリ通信を、前記通信手段に実行させる制御手段と、
発呼先への信号遅延時間を検出する検出手段を備え、
前記制御手段は、前記検出手段により検出した信号遅延時間が所定時間より長いときにＥメールベースのインターネットを選択し、該所定時間より短いときにセッションベースのインターネットを選択することを特徴とするファクシミリ装置。
【請求項３】
更に、前記制御手段が選択したところの、前記発呼先へのファクシミリ通信に使用するインターネットの種類を、その発呼先に対応させて登録する登録手段を備え、
前記制御手段は、前記検出手段により信号遅延時間を検出するのに先だって、前記登録手段に登録されている情報に基づいて、今回の発呼先へのインターネットを選択し、選択ができないときに前記検出手段により信号遅延時間を検出することを特徴とする請求項２記載のファクシミリ装置。
【請求項４】
プロバイダにダイアルアップ接続し、所定のインターネットを介したファクシミリ通信が可能なファクシミリ装置であって、
インターネットを介して、セッションベース及びＥメールベースのファクシミリ通信が可能な通信手段と、
選択された送信モードに応じて前記セッションベースまたはＥメールベースの何れかのインターネットを選択し、その選択したインターネットを介したファクシミリ通信を、前記通信手段に実行させる制御手段と、
発呼先の外部装置の受信能力を検出する第２の検出手段を備え、
前記制御手段は、前記第２の検出手段により検出した受信能力に応じて、送信時の原稿サイズを変更することを特徴とするファクシミリ装置。
【請求項５】
前記制御手段は、前記受信能力に応じて、Ｂ４サイズ或いはＡ３サイズの原稿を、Ａ４サイズに変換することを特徴とする請求項４記載のファクシミリ装置。
【請求項６】
プロバイダにダイアルアップ接続し、所定のインターネットを介したファクシミリ通信が可能なファクシミリ装置の通信方法であって、
選択された送信モードに応じて前記セッションベースまたはＥメールベースの何れかのインターネットを選択し、
その選択したインターネットを介したファクシミリ通信を、セッションベース及びＥメールベースのファクシミリ通信が可能な通信ユニットに実行させることを特徴とするファクシミリ装置の制御方法。
【請求項７】
プロバイダにダイアルアップ接続し、所定のインターネットを介したファクシミリ通信が可能なファクシミリ装置の制御方法であって、
選択された送信モードに応じて前記セッションベースまたはＥメールベースの何れかのインターネットを選択し、
その選択したインターネットを介したファクシミリ通信を、セッションベース及びＥメールベースのファクシミリ通信が可能な通信ユニットに実行させる、
前記送信モードが自動選択のとき、原稿サイズがＡ４であればＥメールベースのインターネットを選択し、原稿サイズがＢ４或いはＡ３であればセッションベースのインターネットを選択することを特徴とするファクシミリ装置の制御方法。
【請求項８】
プロバイダにダイアルアップ接続し、所定のインターネットを介してファクシミリ通信を行う通信プログラムを格納したコンピュータ読み取り可能な記憶媒体であって、
インターネットを介して、セッションベース及びＥメールベースのファクシミリ通信が可能な通信工程のコードと、
選択された送信モードに応じて前記セッションベースまたはＥメールベースの何れかのインターネットを選択し、その選択したインターネットを介したファクシミリ通信を、前記通信手段に実行させる制御工程のコードと、
を有することを特徴とする記憶媒体。
【請求項９】
プロバイダにダイアルアップ接続し、所定のインターネットを介してファクシミリ通信を行う通信プログラムを格納したコンピュータ読み取り可能な記憶媒体であって、
インターネットを介して、セッションベース及びＥメールベースのファクシミリ通信が可能な通信工程のコードと、
選択された送信モードに応じて前記セッションベースまたはＥメールベースの何れかのインターネットを選択し、その選択したインターネットを介したファクシミリ通信を、前記通信手段に実行させる制御工程のコードと、を備え、
前記制御工程のコードにより、前記送信モードが自動選択のとき、原稿サイズがＡ４であればＥメールベースのインターネットを選択し、原稿サイズがＢ４或いはＡ３であればセッションベースのインターネットを選択することを特徴とする記憶媒体。
【請求項１０】
プロバイダにダイアルアップ接続し、所定のインターネットを介したファクシミリ通信が可能なファクシミリ装置の制御方法であって、
インターネットを介して、セッションベース及びＥメールベースのファクシミリ通信が可能な通信工程と、
選択された送信モードに応じて前記セッションベースまたはＥメールベースの何れかのインターネットを選択し、その選択したインターネットを介したファクシミリ通信を、前記通信手段に実行させる制御工程と、
発呼先への信号遅延時間を検出する検出工程を備え、
前記制御工程では、前記検出工程において検出した信号遅延時間が所定時間より長いときにＥメールベースのインターネットを選択し、該所定時間より短いときにセッションベースのインターネットを選択することを特徴とするファクシミリ装置の制御方法。
【請求項１１】
プロバイダにダイアルアップ接続し、所定のインターネットを介したファクシミリ通信を行うための通信プログラムであって、
インターネットを介して、セッションベース及びＥメールベースのファクシミリ通信が可能な通信工程を実行するためのプログラムコードと、
選択された送信モードに応じて前記セッションベースまたはＥメールベースの何れかのインターネットを選択し、その選択したインターネットを介したファクシミリ通信を、前記通信手段に実行させる制御工程を実行するためのプログラムコードと、
発呼先への信号遅延時間を検出する検出工程を実行するためのプログラムコードを備え、
前記制御工程を実行するためのプログラムコードは、前記検出工程において検出した信号遅延時間が所定時間より長いときにＥメールベースのインターネットを選択し、該所定時間より短いときにセッションベースのインターネットを選択するためのコードを含むことを特徴とするファクシミリ装置の制御方法。
【発明の詳細な説明】
【０００１】
【発明の属する技術分野】
本発明は、プロバイダにダイアルアップ接続し、所定のインターネットを介してファクシミリ通信が可能なファクシミリ装置及びその制御方法コンピュータ読み取り可能な記憶媒体に関する。
【０００２】
【従来の技術】
近年、インターネットを介したファクシミリ通信が可能なファクシミリ装置として、例えば、Ｅメールベースのインターネット、或いは、セッションベースのインターネットを介したファクシミリ装置が提案されている。
【０００３】
【発明が解決しようとする課題】
しかしながら、現在のインターネットを介したファクシミリ通信の規格は、ＩＴＵ−Ｔでも勧告になっておらず、各メーカは独自の規格に基づいて開発を進めている。このため、インターネットを介したファクシミリ通信は、同一メーカ製の装置間でのみ実現できるにすきない。
【０００４】
また、Ｅメールベースのインターネットを介したファクシミリ通信においては、所謂プリミティブモードでの通信しかできないという欠点があり、セッションベースのインターネットを介したファクシミリ通信では、インターネットにて遅延が生じると、通信が不能になってしまうという欠点がある。
【０００５】
そこで、本発明は、送信すべき原稿の情報を、インターネットを介したファクシミリ通信により確実に送信するファクシミリ装置及びその制御方法及びコンピュータ読み取り可能な記憶媒体の提供を目的とする。
【０００６】
【課題を解決するための手段】
上記の目的を達成するため、本発明に係るファクシミリ装置は、以下の構成を特徴とする。
【０００７】
即ち、プロバイダにダイアルアップ接続し、所定のインターネットを介したファクシミリ通信が可能なファクシミリ装置であって、インターネットを介して、セッションベース及びＥメールベースのファクシミリ通信が可能な通信手段と、選択された送信モードに応じて前記セッションベースまたはＥメールベースの何れかのインターネットを選択し、その選択したインターネットを介したファクシミリ通信を、前記通信手段に実行させる制御手段と、を備え、前記制御手段は、前記送信モードが自動選択のとき、原稿サイズがＡ４であればＥメールベースのインターネットを選択し、原稿サイズがＢ４或いはＡ３であればセッションベースのインターネットを選択することを特徴とする。
【０００９】
上記の目的を達成するため、本発明に係るファクシミリ装置の制御方法は、以下の構成を特徴とする。
【００１０】
即ち、プロバイダにダイアルアップ接続し、所定のインターネットを介したファクシミリ通信が可能なファクシミリ装置の通信方法であって、選択された送信モードに応じて前記セッションベースまたはＥメールベースの何れかのインターネットを選択し、その選択したインターネットを介したファクシミリ通信を、セッションベース及びＥメールベースのファクシミリ通信が可能な通信ユニットに実行させることを特徴とする。
【００１１】
また、例えば、前記送信モードが自動選択のとき、原稿サイズがＡ４であればＥメールベースのインターネットを選択し、原稿サイズがＢ４或いはＡ３であればセッションベースのインターネットを選択するとよい。
【００１２】
更に、上記の構成を実現するコンピュータ読み取り可能な記憶媒体を特徴とする。
【００１３】
【発明の実施の形態】
以下、本発明に係るファクシミリ装置の実施の形態を、図面を参照して詳細に説明する。
【００１４】
［第１の実施形態］
図１は、本発明の第１の実施形態におけるファクシミリ装置を含むファクシミリシステムの全体構成を示すブロック図である。尚、当該システムに接続されるファクシミリ装置（ＦＡＸ）Ａの構成を破線の枠で示す。
【００１５】
同図において、２はＮＣＵ（網制御装置）であり、電話交換網（ＰＳＴＮ）３８と電話回線の端末（電話機４）とに接続されており、そのＰＳＴＮをデータ通信等に使用すべく、電話交換網との接続制御、データ通信路への切換え制御、並びにループの保持制御を行う。また、ＮＣＵ２は、後述する制御部２０から信号線２０ａを介して出力される信号レベルが「０」であれば、電話回線２ａを電話機側に接続し、また信号レベルが「１」であれば、電話回線２ａをファクシミリ装置側に接続する。尚、通常の状態では、電話回線２ａは電話機側に接続されている。
【００１６】
４は電話機である。６はハイブリッド回路であり、送信系の信号と受信系の信号とを一般的な手法によって分離し、後述する加算回路１２からの送信信号を、ＮＣＵ２を介して電話回線２ａに送出し、また相手側からの受信信号をＮＣＵ２を介して入力し、信号線６ａを介して後述する変復調器８に送出する。
【００１７】
８は、ＩＴＵ−Ｔ勧告Ｖ．８，Ｖ．２１，Ｖ．２７ｔｅｒ，Ｖ．２９，Ｖ．１７，Ｖ．３４に基づいて変調及び復調を行う変復調器であり、信号線２０ｂに出力された送信データを変調し、変調後の変調データを信号線８ａに出力すると共に、信号線６ａに出力された受信データを復調し、復調後の復調データを信号線８ｂに出力する。この変復調器８には、後述する制御部２０から信号線２０ｃを介して出力される信号に応じて、各伝送モードが指定される。
【００１８】
１０は、上記のＩＴＵ−Ｔ勧告に基づくＡＮＳａｍ信号を送出するＡＮＳａｍ送出回路であり、信号線２０ｄに信号レベル「１」の信号が出力されているときには信号線１０ａにＡＮＳａｍ信号を送出し、信号線２０ｄに信号レベル「０」の信号が出力されているときには信号線１０ａへの信号の出力を行なわない。
【００１９】
１２は加算回路であり、信号線８ａの情報と信号線１０ａの情報とを入力し、それら入力された情報を加算した結果を信号線１２ａに出力する。
【００２０】
１４は読取部であり、不図示の原稿台にセットされている原稿を一般的な手順によって読み取ることにより得られた画像データを、信号線１４ａに出力する。
【００２１】
１６は記録部であり、信号線２０ｅに出力された情報を順次１ライン毎に記録する。
【００２２】
１８はメモリであり、読取部１４にて読み取った画像データやその画像データを符号化したデータ、外部より受信したデータ、或いは受信したデータを復号化したデータ等を格納する。
【００２３】
２４は操作部であり、ワンタッチダイアル、短縮ダイアル、テンキー、＊・＃キー、セットキー、スタートキー、ストップキー、ダイアルアップ接続の電話番号を登録するための登録キー、送信モードの選択ボタン、その他各種ファンクションキーを含み、押下されたキーに応じて、信号線２４ａにパルス信号が出力される。ここで、送信モードには、「自動」、「Ｅメールベース」、或いは「セッションベース」の３種類がある。
【００２４】
２２は、インターネット網の選択状況等を表示する表示部であり、信号線２２ｆにクリアパルスが発生すると「自動選択」と表示する。その後、操作部２４からの送信モードの選択操作に応じて、信号線２４ａに出力されるパルス信号に応じて、「インターネットを介したＥメールベースの通信選択中」、「インターネットを介したセッションベースの通信を選択中」と表示する。この表示部２２は、「自動選択」と表示しているときには信号「０」、「インターネットを介したＥメールベースの通信を選択中」と表示しているときには信号「１」、そして「インターネットを介したセッションベースの通信を選択中」と表示しているときには信号「２」を、信号線２２ａに対して出力する。
【００２５】
２６は信号遅延時間登録部であり、インターネット網を介して通信を行なうときの信号遅延時間を、信号線２６ａを介して登録する。この信号遅延時間登録部２６には、ワンタッチダイヤルの全ての宛先に対して、信号遅延時間を個別に登録することができる。
【００２６】
２８は原稿サイズ検出部であり、不図示の原稿台にセットされている原稿サイズを検出する。この原稿サイズ検出部２８は、Ａ４サイズの原稿がセットされているときには信号「０」、Ｂ４サイズの原稿がセットされているときには信号「１」、そしてＡ３サイズの原稿がセットされているときには信号「２」を信号線２８ａに対して出力する。
【００２７】
３０は、ダイアルアップ接続先電話番号の登録部であり、ダイアルアップする電話番号を信号線３２ａを介して登録する。
【００２８】
３１は、ワンタッチダイヤル接続先の登録部であり、操作部２４の不図示のテンキー等により入力された接続先のプロバイダのＩＰアドレスと、そのプロバイダからＰＳＴＮを使用して送信する電話番号の情報とを、信号線３１ａを介して、操作部２４の不図示のワンタッチダイヤルに対応させて登録する。
【００２９】
３２はファクシミリ装置（ＦＡＸ Ｂ）である。３４はインターネット・サービス・プロバイダ（以下、プロバイダと称す）Ａ、３６はプロバイダＢである。そして、３８、４０はＰＳＴＮ、４２はインターネットである。
【００３０】
２０は、ファクシミリ装置Ａの制御部であり、上述したファクシミリ装置Ａの各構成の制御を行なうと共に、インターネットを介したセッションベースのファクシミリ通信を実行するか、インターネットを介したＥメールベースのファクシミリ通信を実行するかを、操作部２４にて入力された送信モードに応じて決定する制御を行なう。具体的な制御としては、送信モードが「自動選択」のときに、原稿サイズがＡ４であればインターネットを介したＥメールベースのファクシミリ通信を実行し、原稿サイズがＢ４、或いはＡ３であればインターネットを介したセッションベースのファクシミリ通信を実行する。
【００３１】
尚、上述の制御部２０は、プログラムに従ってファクシミリ装置Ａの全体を制御するＣＰＵ、そのＣＰＵのプログラムや制御コードを格納したＲＯＭ、ＣＰＵが制御を実行時に使用する作業領域や各種テーブル等の領域を含むＲＡＭで構成されている。
【００３２】
図２は、本発明の第１の実施形態におけるファクシミリシステムに含まれるプロバイダの構成を示すブロック図である。
【００３３】
同図において、５２はゲートウェイであり、インターネット上の他のネットワーク組織への接続を行う。５４はファクシミリ・データベースであり、プロバイダにダイアルアップ接続される複数のファクシミリ装置の受信能力や受信に関するステータス情報等を記憶する。５６はダイアルアップサーバであり、ＰＰＰ等の通信プロトコルに従って、モデム６２及びＰＳＴＮを介してクライアントとの接続を行う。５８はＤＮＳ(Domain Name system)サーバであり、ドメイン名サービスを提供する。そして、６０はメール・サーバであり、ＴＣＰ／ＩＰ(Transmission control protocol / Internet Protocol)の上位プロトコルであるＳＭＴＰ(Simple Mail Tranfer Protocol)により送受信される電子メールやファクシミリ情報を保存する。
【００３４】
次に、制御部２０のＣＰＵが実行する通信網の選択制御処理について、図３から図６を参照して説明する。
【００３５】
図３から図６は、本発明の第１の実施形態における制御部の通信網の選択制御処理を示すフローチャートである。
【００３６】
ステップＳ２：信号遅延時間登録部２６を信号線２６ａを介してイニシャライズする。
【００３７】
ステップＳ４：信号線２２ｆにクリアパルスを出力することにより、表示部２２に表示するインターネット網の選択状態を「自動選択」にする。
【００３８】
ステップＳ６：信号線２０ａに信号レベル「０」の信号を出力することにより、ＣＭＬ（Connect Modem to Line）をオフにする。
【００３９】
ステップＳ８：信号線２０ｄに信号レベル「０」の信号を出力し、ＡＮＳａｍ信号は送信しない。
【００４０】
ステップＳ１０：操作部２４から出力される信号線２４ａの情報に基づいて、ダイアルアップ接続先の登録部３０へのダイアルアップ接続先の登録が要求されているかを判断し、ＮＯ（要求されていない）ときにはステップＳ１４に進む。
【００４１】
ステップＳ１２：ステップＳ１０の判断でＹＥＳ（要求されている）のときには、操作部２４から入力されたところの、ダイヤルアップにより接続する接続先の電話番号を、信号線３０ａを介して登録部３０に登録する。
【００４２】
ステップＳ１４：操作部２４から出力される信号線２４ａの情報に基づいて、ワンタッチダイヤル接続先電話番号の登録部３１へのワンタッチダイヤルの登録が要求されているかを判断し、ＮＯ（要求されていない）ときにはステップＳ１８に進む。
【００４３】
ステップＳ１６：ステップＳ１４の判断でＹＥＳ（要求されている）のときには、操作部２４から入力されたところの、ワンタッチダイヤルにより接続する接続先のＩＰアドレス及びそのＩＰアドレスにより接続されたプロバイダに接続される電話番号を、信号線３１ａを介して登録部３１に登録する。
【００４４】
ステップＳ１８，ステップＳ２０：信号線３１ａの情報に基づいて、発呼が選択されたか否を判断し（ステップＳ１８）、ＮＯ（選択されていない）ときにはステップＳ２０にてその他の所定の処理を行なう。
【００４５】
ステップＳ２２：ステップＳ１８の判断でＹＥＳ（選択されている）のときには、信号線３０ａの情報に基づいて、ダイヤルアップすべき電話番号に発呼し、ダイヤルアップ接続を行なう。
【００４６】
ステップＳ２４：信号線２４ａの情報に基づいて、どの種類のインターネットを介したファクシミリ通信が選択されているかを判断し、「自動選択」が選択されているときにはステップＳ２６、Ｅメールベースのインターネットが選択されているときにはステップＳ２８、そして、セッションベースのインターネットが選択されているときにはステップＳ３２に進む。
【００４７】
ステップＳ２６：ステップＳ２４で「自動選択」が選択されているときには、信号線２８ａの情報に基づいて、不図示の原稿台に裁置された原稿サイズを判断し、Ａ４サイズのときにはステップＳ２８、Ｂ４サイズ或いはＡ３サイズのときにはステップＳ３２に進む。
【００４８】
ステップＳ２８：ＴＣＰ／ＩＰの実行を開始する。
【００４９】
ステップＳ３０：読取部１４にて読み取った画像データ、或いは、記録部１６に記録している画像データを、Ｔｉｆｆ(Tag image file format)フォーマットに基づいてＡ４サイズの情報に変換し、その変換によって得られるＭＨ符号化された画像データを、ＳＭＴＰのＭＩＭＥ(Multipurpose Internet Mail Extentions)に従って、Ｅメールベースのインターネットを介して送信する。
【００５０】
ステップＳ３２：ＴＣＰ／ＩＰの実行を開始する。
【００５１】
ステップＳ３４：受信側のファクシミリ装置Ｂの受信能力を表わすデータを、プロバイダのファクシミリ・データベース５４より入手し、その入手したデータと送信側の自装置（ファクシミリ装置Ａ）の送信モードとに基づいて、符号化方式、並びに受信側にて出力する際の原稿サイズや解像度等を決定する。本実施形態では、一例としてＢ４サイズ或いはＡ３サイズの原稿を等倍で送信することが不適当と判断したときには、Ａ４サイズに縮小している。そして、読取部１４にて読み取った画像データ、或いは、記録部１６に記録している画像データを、決定した送信仕様に従って、セッションベースのインターネットを介して送信する。
【００５２】
このように、本実施形態では、インターネット網の選択が「自動選択」のときに原稿のファクシミリ通信を行なうに際して、原稿サイズがＡ４であればＥメールベースのインターネットを選択して通信を行ない、原稿サイズがＢ４或いはＡ３であれば、セッションベースのインターネットを選択する共に、自装置の送信モード、並びに、受信先のファクシミリ装置の受信能力に応じた決定した符号化方式、並びに受信側にて出力する際の原稿サイズや解像度に従って送信する。これにより、送信側と受信側とでは原稿サイズが異なってしまう場合が有るものの、原稿の情報を受信側の受信能力に応じた送信データとして送信することができ、ファクシミリ通信すべき原稿の情報を確実に受信側に送信することができる。
【００５３】
［第２の実施形態］
次に、第２の実施形態を説明する。以下の説明では、第１の実施形態と異なる部分を中心に説明する。本実施形態では、発呼先への信号遅延時間が所定時間より短いときにはセッションベースのインターネット、長いときにはＥメールベースのインターネットを選択する。具体的には、信号遅延時間登録部２６に各発呼先の信号遅延時間を予め登録しておき、インターネットを介したファクシミリ通信を行なうに際して、信号遅延時間登録部２６に登録されている発呼先の信号遅延時間に基づいてどの種類のインターネットを選択するかを判断する。
【００５４】
図７は、本発明の第２の実施形態における制御部の通信網の選択制御処理のうち特徴的な部分を示すフローチャートである。
【００５５】
ステップＳ４２：信号線２４ａの情報に基づいて、どの種類のインターネット網を介したファクシミリ通信が選択されているかを判断し、「自動選択」が選択されているときにはステップＳ４４、Ｅメールベースのインターネットが選択されているときには図５のステップＳ２８、そして、セッションベースのインターネットが選択されているときにはステップＳ４８に進む。
【００５６】
ステップＳ４４：信号線２６ａを介して信号遅延時間登録部２６に登録されている各発呼先の信号遅延時間を入力し、今回の発呼先の信号遅延時間が、例えば３秒以上であるかを判断し、ＹＥＳのとき（信号遅延時間が３秒以上のとき）にはＴＣＰ／ＩＰの実行（ステップＳ２８）、Ｅメールベースのインターネット通信（ステップＳ３０）に進む。
【００５７】
ステップＳ４８：ステップＳ４４の判断でＮＯのとき（信号遅延時間が３秒より短い、または未登録のとき）には、判断結果をワンタッチダイヤル接続先電話番号の登録部３１に発呼先に対応させて格納すると共に、ＴＣＰ／ＩＰの実行を開始する。そして、ステップＳ３４に進んでセッションベースのインターネット通信を行なう。
【００５８】
本実施形態では、ステップＳ４８にてワンタッチダイヤル接続先電話番号の登録部３１に今回の判断結果を登録しているため、次回以降の同一の発呼先へのファクシミリ通信であれば、その発呼先のワンタッチダイヤルが行われたときに、登録部３１より登録されているインターネットの選択情報を利用することにより、信号遅延時間に基づくインターネットの選択を省略することができる。
【００５９】
このように、本実施形態では、信号遅延時間登録部２６に登録されている各発呼先の信号遅延時間が所定時間より長いときにはＥメールベースのインターネット通信をおこなうため、従来のようにインターネット網にて遅延が生じると、通信が不能になってしまうという欠点を解消することができる。
【００６０】
【他の実施形態】
尚、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００６１】
この場合、記憶媒体から読出されたプログラムコード自体が前述した実施形態の機能を実現することになり、そのプログラムコードを記憶した記憶媒体は本発明を構成することになる。
【００６２】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００６３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００６４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００６５】
【発明の効果】
以上説明したように、本発明によれば、送信すべき原稿の情報を、インターネットを介したファクシミリ通信により確実に送信するファクシミリ装置及びその制御方法及びコンピュータ読み取り可能な記憶媒体の提供が実現する。
【００６６】
【図面の簡単な説明】
【図１】本発明の第１の実施形態におけるファクシミリ装置を含むファクシミリシステムの全体構成を示すブロック図である。
【図２】本発明の第１の実施形態におけるファクシミリシステムに含まれるプロバイダの構成を示すブロック図である。
【図３】本発明の第１の実施形態における制御部の通信網の選択制御処理を示すフローチャートである。
【図４】本発明の第１の実施形態における制御部の通信網の選択制御処理を示すフローチャートである。
【図５】本発明の第１の実施形態における制御部の通信網の選択制御処理を示すフローチャートである。
【図６】本発明の第１の実施形態における制御部の通信網の選択制御処理を示すフローチャートである。
【図７】本発明の第２の実施形態における制御部の通信網の選択制御処理のうち特徴的な部分を示すフローチャートである。
【符号の説明】
２：ＮＣＵ，
４：電話機，
６：ハイブリット回路，
８：変復調器，
１０：ＡＮＳａｍ送出回路，
１２：加算回路，
１４：読取部，
１６：記録部，
１８：メモリ，
２０：制御部，
２２：表示部，
２４：操作部，
２６：信号遅延時間登録部，
２８：原稿サイズ検出部，
３０：ダイアルアップ接続先電話番号の登録部，
３１：ワンタッチダイヤル接続先電話番号の登録部，
３２：ファクシミリ装置（ＦＡＸＢ），
３４：プロバイダＡ，
３６：プロバイダＢ，
３８：ＰＳＴＮ，
４０：ＰＳＴＮ，
４２：インターネット，
５２：ゲートウェイ，
５４：ファクシミリ・データベース，
５６：ダイアルアップサーバ，
５８：ＤＮＳサーバ，
６０：メール・サーバ，
６２：モデム，
【図１】
0003706752.tif 000002
【図２】
0003706752.tif 000003
【図３】
0003706752.tif 000004
【図４】
0003706752.tif 000005
【図５】
0003706752.tif 000006
【図６】
0003706752.tif 000007
【図７】
0003706752.tif 000008